(57)【要約】【課題】  業種を問わず手軽に広域にインターネット通信網を利用してチラシ広告することができるチラシ広告配信システムを提供することを目的とする。【解決手段】  チラシ広告集配信サイト運営企業のチラシ広告集配信サーバ１０と、チラシ広告集配信サーバ１０が提供する広告フォーマット送信手段１０ａに基づいて、広告条件を含むチラシ広告情報を書き込んで送信する広告掲載側端末機１２と、チラシ広告情報を検索するための顧客側端末機１３とがインターネット網１４で接続され、チラシ広告集配信サーバ１０による検索分類手段１０ｂによって、チラシ広告情報を広告する地域と広告期間等を前記広告条件に基づいて分類してインターネット網１４にて提供するチラシ広告配信システムである。【選択図】    図１
2005078159.tif 000002
【特許請求の範囲】
【請求項１】
チラシ広告集配信サイト運営企業のチラシ広告集配信サーバと、該チラシ広告集配信サーバが提供する広告フォーマットに広告条件情報とチラシ広告画像を含むチラシ広告情報を入力して該チラシ広告集配信サーバへと転送する広告データ送信手段を有する広告掲載側端末機と、該チラシ広告情報のチラシ広告画像を閲覧するための顧客側端末機とがインターネット網で接続され、
前記チラシ広告集配信サーバ側に設けられた検索分類手段によって、チラシ広告画像を広告する地域と広告期間等の前記広告条件情報に基づき前記チラシ広告情報を分類格納してデータベースを作成し、インターネット網にて前記チラシ広告を顧客に提供するとともに、広告期間が満了したチラシ広告を自動的に前記データベースから削除するようにしたことを特徴とするチラシ広告配信システム。
【請求項２】
前記広告フォーマットに入力されるチラシ広告画像が、スキャナ又は電子カメラによる画像データであることを特徴とする請求項１に記載のチラシ広告配信システム。
【請求項３】
前記広告条件情報が、ＸＭＬ文書で記載されていることを特徴とする請求項１又は２に記載のチラシ広告配信システム。
【請求項４】
前記広告する地域が郵便番号を用いたことを特徴とする請求項１，２又は３に記載のチラシ広告配信システム。
【発明の詳細な説明】
【技術分野】
【０００１】
本発明は、広告主が指定された地域、広告期間等に基づいて、チラシ広告情報を自動的にインターネット配信する広告チラシ配信システムに関するものである。
【背景技術】
【０００２】
従来、チラシ配布に併行してインターネット配信によるチラシ広告を行うシステムがある。このチラシ広告システムでは、図６を参照して説明すると、地元スーパー、ホームセンター、一般商店などの広告主１が、広告デザインを担当する広告デザイン会社２に制作依頼し、広告デザイン会社２のデザインに基づいて、印刷会社３が印刷を担当すると共に印刷イメージを版下データとして電子媒体化（ＰＤＦ化）し、サーバー会社４はＰＤＦ化したデータをデータベース化（ＤＢ化）し、広告主１からのチラシ広告登録依頼に対して対応すると共に、インターネット網５へ接続しデータの配信管理を行う。新聞折込チラシを配布するとともに、サーバー会社４は、端末利用者（利用者）６ａ…６ｎ向けてインターネット網５を介してチラシ配布する。広告主１は必要に応じてホームページ広告作成会社７にてホームページを作成する（例えば、特許文献１参照）。
【０００３】
【特許文献１】特開２００２−１６３５３９号公報（明細書全文，図面全図）
【発明の開示】
【発明が解決しようとする課題】
【０００４】
従来例のチラシ広告システムでは、広告主が印刷会社に依託してサーバー会社にてチラシ広告をデータベース化してインターネット網を利用して利用者に提供している。しかし、このチラシ広告システムでは、広告主が手書き又は手作りなどのチラシ広告を手軽にインターネット網を利用して自動的に広域に広告情報を提供し得るシステムではなく、改善の余地があった。
【０００５】
本発明は、上記のような課題に鑑みなされたものであって、業種を問わず手軽に広域又は特定地域にインターネット網を利用したチラシ広告をすることができるチラシ広告配信システムを提供することを目的とするものである。
【課題を解決するための手段】
【０００６】
本発明は、上記課題を達成したものであって、請求項１の発明は、チラシ広告集配信サイト運営企業のチラシ広告集配信サーバと、該チラシ広告集配信サーバが提供する広告フォーマットに広告条件情報とチラシ広告画像を含むチラシ広告情報を入力して該チラシ広告集配信サーバへと転送する広告データ送信手段を有する広告掲載側端末機と、該チラシ広告情報のチラシ広告画像を閲覧するための顧客側端末機とがインターネット網で接続され、前記チラシ広告集配信サーバ側に設けられた検索分類手段によって、チラシ広告画像を広告する地域と広告期間等の前記広告条件情報に基づき前記チラシ広告情報を分類格納してデータベースを作成し、インターネット網にて前記チラシ広告を顧客に提供するとともに、広告期間が満了したチラシ広告を自動的に前記データベースから削除するようにしたことを特徴とするチラシ広告配信システムである。
【０００７】
また、請求項２の発明は、前記広告フォーマットに入力されるチラシ広告画像が、スキャナ又は電子カメラによる画像データであることを特徴とする請求項１に記載のチラシ広告配信システムである。
【０００８】
また、請求項３の発明は、前記広告条件情報が、ＸＭＬ文書で記載されていることを特徴とする請求項１又は２に記載のチラシ広告配信システムである。
【０００９】
また、請求項４の発明は、前記広告する地域が郵便番号を用いたことを特徴とする請求項１，２又は３に記載のチラシ広告配信システムである。
【発明の効果】
【００１０】
本発明は、上記課題を解決したものであって、請求項１の発明によれば、チラシ広告集配信サイト運営企業のチラシ広告集配信サーバと、該チラシ広告集配信サーバが提供する広告フォーマットに広告条件情報とチラシ広告画像を含むチラシ広告情報を入力して該チラシ広告集配信サーバへと転送する広告データ送信手段を有する広告掲載側端末機と、該チラシ広告画像を閲覧するための顧客側端末機とがインターネット網で接続され、該チラシ広告集配信サーバによる検索分類手段によって、前記チラシ広告画像を広告する地域と広告期間等を前記広告条件情報に基づき前記チラシ広告情報を分類格納してデータベースを作成し、インターネット網にて前記チラシ広告を顧客に提供するとともに、広告期間が満了したチラシ広告を自動的に前記データベースから削除するようにしたチラシ広告配信システムであるので、広告主は、チラシ広告集配信サイト運営企業が提供する広告フォーマットにチラシ広告情報を入力して広告データ送信手段により転送するのみで、指定した広告期間、広域又は限定地域にインターネット網に自動的に手軽にチラシ広告を公開して閲覧可能とし得るシステムを提供することができる利点があり、また、このシステムには、広告期間満了判定手段が備えられ、チラシ広告を指定した広告期間が終了するとチラシ広告データが自動的にデータベースから削除される。広告主は、チラシ広告集配信サイト運営企業が提供する広告フォーマットに入力するのみで手軽に広告することができる利点がある。なお、チラシ広告集配信サイト運営企業のホームページに前面広告される形態であって、看板型のバナー広告とは異なる。
【００１１】
また、請求項２の発明によれば、前記広告フォーマットに入力されるチラシ広告画像が、スキャナ又は電子カメラによる画像であることを特徴とする請求項１に記載のチラシ広告配信システムであるので、チラシ広告集配信サイト運営企業が提供する広告フォーマットにこれらによる作成された画像データを添付するのみで手軽にインターネット網を利用して広告することができ、個々がホームページを作成して広告する必要がなく、極めて手軽で効果的な広告手段である。
【００１２】
また、請求項３の発明によれば、前記広告条件情報が、ＸＭＬ文書で記載されていることを特徴とするチラシ広告配信システムであるので、広告条件情報がＸＭＬ文書で記載されており、チラシ広告集配信サーバ側での検索分類手段によって、広告地域，広告期間等の広告条件情報をＷＷＷブラウザを使って表示することができるし、入力されたデータとしてデータベースに容易に取り込める利点がある。
【００１３】
また、請求項４の発明によれば、前記広告する地域が郵便番号を用いたことを特徴とする請求項１，２又は３に記載のチラシ広告配信システムであり、チラシ広告配信システムには、郵便番号による広告地域設定手段が設けられており、郵便番号に基づいて、広告地域を的確に表示することができる利点があると共に、広域、例えば全国、都道府県単位も郵便番号を利用して指示することができるし、関東地方、東北地方、中部地方などに分類して広告することもできる。また、スーパー等の所在地の郵便番号を入力することとで自動的にその周辺地域を指示して広告することができるし、さらには、郵便番号にアルファベットを組み合わせるようにして多様な指示を行うようにしてもよい。これらは、広告地域設定手段による広告地域を設定することができる。
【発明を実施するための最良の形態】
【００１４】
以下、本発明に係るチラシ広告配信システムの実施の形態について、図面を参照して説明する。先ず、図１において、１０はチラシ広告集配信サイト運営企業のチラシ広告集配信サーバコンピュータ（Ｗｅｂサーバであり、以下、チラシ広告集配信サーバと称する）であり、１２はチラシ広告集配信サーバ１０が提供する広告フォーマット送信手段に基づいて、広告条件を含むチラシ広告情報を入力して、チラシ広告集配信サーバ１０へ送信する広告掲載側端末機であり、１３はチラシ広告集配信サーバ１０が提供するチラシ広告情報を検索して表示する機能を有する顧客側端末機（ＷＷＷブラウザ）である。１４はインターネット網であり、チラシ広告集配信サーバ１０と、広告掲載側端末機（ＷＷＷブラウザ）１２と顧客側端末機１３と接続する。
【００１５】
また、チラシ広告集配信サーバ１０には、データベースサーバ１１が設けられ、図２に示すように、テキストデータ、ＣＳＶ（Comma Separated Value）形式ファイルデータ、ＰＤＦ（Portable Document Format ）データ、ＪＰＥＧ（Joint Photographic Experts Group）の画像、或いはＭＰＥＧ（Moving Picture Experts Group）データ等のチラシ広告データが格納される記憶領域装置１１ａ〜１１ｄが設けられている。各チラシ広告データは、インデックスが付与されて格納される。これらのデータは、チラシ広告集配信サーバ１０におけるＥ−ｍａｉｌとＷｅｂブラウザとの機能を利用して、データ種別自動判別手段１０Ａによりデータ種別を自動判別し、それぞれの記憶領域装置１１ａ〜１１ｄに格納される。
【００１６】
チラシ広告集配信サーバ１０にはＵＲＬ（Uniform Resource Locators）が付与され、データベースサーバ（記憶装置）１１、広告フォーマット送信手段１０ａ（メールサーバに含まれる）、ＸＭＬ文書を解読して分類する検索分類手段１０ｂ（変換・分類サーバ）、及び広告期間満了判定手段１０ｃ等が設けられている。広告期間満了判定手段１０ｃは、チラシ広告集配信サーバ１０に対してイーサネット（バス型のＬＡＮ）を形成するコンピュータに制御機能を与えてもよい。広告フォーマット送信手段１０ａには、広告主がチラシ広告情報を入力して送信するための所定の広告フォーマットが用意されている。この広告フォーマットには、チラシ広告集配信サイト運営企業側のメールアドレスが付与され、図３に示すデータ領域が設けられ、広告掲載側端末機１２の表示画面には、例えば図２に示すように表示される。さらに、チラシ広告集配信サーバ１０には郵便番号による広告地域を認識する広告地域設定手段が設けられており、広告地域が広域であるか、または限定地域であるかを設定することができる。例えば全国、都道府県単位も郵便番号を利用して指示することができるし、関東地方、東北地方、中部地方などに分類して広告することもできる。また、スーパー等の所在地の郵便番号を入力することとで自動的にその周辺地域を指示して広告することができる。さらには、郵便番号にアルファベットを組み合わせるようにして多様な指示を行うことができる。
【００１７】
また、広告掲載側端末機１２には、広告フォーマット送信手段１０ａによる広告フォーマットを入手して送信することができる広告データ送信手段１２ａが設けられており、広告主が、チラシ広告集配信サイト運営企業との契約を締結することで、チラシ広告集配信サイト運営企業が広告主に対して登録番号が付与され、広告主は、この登録番号によって、チラシ広告集配信サイトのチラシ広告集配信サーバ１０が備える広告フォーマット送信手段１０ａから広告フォーマットを入手することができる。広告主は、広告フォーマットにチラシ広告情報を入力して、図３の送信ボタン２０をクリックすることにより、チラシ広告情報を送信することができる。図３には、例えば、依頼日入力領域２１，登録番号入力領域２２，地域コード入力領域２３，広告条件入力領域２４，業種入力領域２５，修正有無入力領域２６，添付ファイル入力領域２７，及びその他備考欄入力領域２８が設けられている。
【００１８】
この広告フォーマットは、図４に示したように、チラシ広告集配信サイト運営企業のメールアドレスが入力される領域ｅ１、広告主のメールアドレスが入力される領域ｅ２が設けられた送受信データ部Ｅａが設けられ、端末機識別子、依頼日、登録番号、地域コード、広告条件、業種、修正有無、データ種別、その他備考欄等が入力される領域ｅ１〜ｅ１１が設けられた広告条件データ部Ｅｂと、チラシ広告データが入力される領域ｅ１２を有する広告データ部Ｅｃとが設けられている。
【００１９】
広告主は、チラシ広告集配信サーバ１０から入手した所定広告フォーマットに、スキャナや電子カメラを利用して取り込んだ図５（ａ），（ｂ）に示す広告画像データをチラシ広告集配信サーバ１０へと転送する。入手した広告フォーマットには、宛先であるチラシ広告集配信サイト運営企業のメールアドレスと広告主のメールアドレスが書き込まれ、かつ広告主がチラシ広告情報を入力して広告データ送信手段１２ａを利用し、広告データをチラシ広告集配信サーバ１０へと転送することができる。広告フォーマット送信手段１０ａ及び広告データ送信手段１２ａは、送信にＳＭＴＰ（Simple Mail Transfer Protocol）が使され、受信にＰＯＰ（Post Office Protocol）が使用され、このようなインターネット環境が整ったものである。また、これらのチラシ広告情報は、広告フォーマット送信手段１０ａから得られる広告フォーマットに、ＸＭＬ（Extensible Markup Language）文書で記載されるように構成されている。
【００２０】
一方、顧客側端末機１３は、ＷＷＷブラウザを利用して、チラシ広告集配信サーバ１０で公開されたチラシ広告を検索して所定の広告期間の間、特定地域又は広域のチラシ広告を閲覧することができる。
【００２１】
次に、図４の広告条件データ部Ｅｂについて説明する。領域ｅ３には広告主側の端末機の識別子が入力される。領域ｅ４には広告を依頼する依頼日が入力される。領域ｅ５は登録番号が入力され、広告依頼契約に基づいて付与された登録番号が入力される。領域ｅ６は、広告を行う地域を指定する地域コードが入力される。地域コードとしては、例えば郵便番号等が利用される。領域ｅ７は広告期間等の広告条件が入力される。領域ｅ８には業種データが入力される。また、チラシ広告データの修正が必要な場合もあり、領域ｅ９は修正の有無を判断する情報が入力される。また、領域ｅ１０には、上記説明したテキステデータや画像データの画像処理ソフト等の種別が入力される。さらに、領域ｅ１１の「その他備考欄」には、通信欄として使用することができる。
【００２２】
広告データ部Ｅｃの領域ｅ１２は、チラシ広告データが入力される領域であって、例えば手書きのチラシ広告をスキャナにより読み取られて、ＪＰＥＧ，ＭＰＥＧの画像処理ソフトにより処理し、画像圧縮処理が行われたチラシ広告画像データが添付する領域である。或いは、チラシ広告画像データを、電子カメラで撮影して得られたデジラル広告画像データを添付する領域である。さらに、この領域ｅ１２には、Ｗｏｒｄ、テキスト、Ｅｘｃｅｌ、ＣＡＤ等で作成されたチラシ広告データが入力される領域である。また、画像データは、色刷りの画像を含んでもよい。このように、領域ｅ１２に入力されるチラシ広告データが、任意のソフトを利用したとしても、領域ｅ１０に入力されたデータ種別を利用して、チラシ広告集配信サーバ１０側で自動的判別して、データベースを作成し得るように構成されている。
【００２３】
本実施形態では、広告掲載側端末機１２が、チラシ広告集配信サーバ１０の広告フォーマット送信手段１０ａから所定の広告フォーマットを入手して、広告主が、広告フォーマットに広告条件データとチラシ広告情報とを書き込んで、広告データ送信手段１２ａによって、チラシ広告集配信サーバ１０へと転送する。チラシ広告集配信サーバ１０では、所定の広告フォーマットで入力された広告主のチラシ広告情報をメールサーバで受信することができる。
【００２４】
広告主から送信されたチラシ広告情報は、チラシ広告集配信サーバ１０の検索分類手段１０ｂによって、広告する地域と広告期間等を広告条件に基づいて分類してデータベースサーバ（記憶装置）１１に格納する。データベースサーバ１１のチラシ広告データは、顧客側端末機１３からの要求に対して、チラシ広告データをインターネット網を介して公開する。
【００２５】
また、チラシ広告集配信サーバ１０が提供する広告フォーマットは、広告条件情報をＸＭＬ文書で記載されており、図３に示す広告フォーマットに各データを入力することによって、図４に示す各領域ｅ３〜ｅ１１を検索分類手段１０ｂが認識して、データベースサーバ１１の所定の領域に格納される。
【００２６】
次に、チラシ広告集配信サーバ１０側の動作について、図５を参照して簡単に説明する。チラシ広告集配信サーバ１０側には、検索分類手段１０ｂ，広告期間満了判定手段１０ｃ等が備えられ、チラシ広告集配信サーバ１０に転送された広告フォーマットに入力されたチラシ広告情報が読み取られて分類する集配機能を有する。チラシ広告集配信サーバ１０は、チラシ広告情報を待ち受け（ステップＳ１）、チラシ広告情報が入力されると、登録番号の照合が行われ（ステップＳ２）、登録番号の照合が完了して契約者であることを確認してステップＳ３に進む。また、ステップＳ２において、登録番号の照合ができない場合、ステップＳ４に進み、照合作業を終了するか、登録番号の再入力を要求する。
【００２７】
登録番号の照合が完了すると、ステップＳ３に進み、検索分類手段１０ｂに基づいて、登録番号毎に業種、地域コード、広告条件、チラシ広告データ等を読み取り、ステップＳ５にて登録番号毎にデータベース１１を作成する。続いて、ステップＳ６に進み、広告期間満了判定手段１０ｃに基づいてチラシ広告の期間が満了したチラシ広告データをデータベースサーバ１１から削除する（ステップＳ７）。チラシ広告の期間満了のものがない場合におは、ステップＳ１に戻り同様の動作を繰り返す。なお、チラシ広告情報の修正情報が入力された場合には、ステップＳ７に進んで、チラシ広告データをデータベースサーバ１１から削除する。
【００２８】
このようなデータ処理によって、図３の広告フォーマットに入力されたチラシ広告情報が、データベースサーバ１１に格納され、顧客側端末機１３側からの要求に対してチラシ広告情報が読み出されてチラシ広告集配信サーバ１０を介して公開され、チラシ広告情報の広告期間が終了すると自動的にデータベースサーバ１１から削除され、広告主は、チラシ広告情報を入力するだけでＷｅｂサイトによるチラシ広告を行うことができる。
【００２９】
なお、郵便番号による広告地域の認識は、広告地域設定手段で実行される。広告地域設定手段は、郵便番号により広告地域を設定するテーブルが設けてあり、そのテーブルに基づいて郵便番号からより広告地域を設定する手段であり、広告地域が広域であるか、または限定地域であるかを設定することができる。この広告地域設定手段は、チラシ広告集配信サーバ１０内に設けてもよいし、ＬＡＮを構成して設けてもよい。
【産業上の利用可能性】
【００３０】
本発明の活用例としては、チラシ広告専用のＷｅｂサイトを構築できるとともに、商品情報や技術情報に関連するチラシ広告データを添付するバナー広告としても利用することは可能である。
【図面の簡単な説明】
【００３１】
【図１】本発明に係るチラシ広告配信システムの実施形態を示すブロック図である。
【図２】本実施形態のデータベースサバーの一例を示すブロック図である。
【図３】本実施形態のチラシ広告集配信サーバから配信されるチラシ広告フォーマットを示す図である。
【図４】チラシ広告フォーマットのデータ割り付けの概略を示す図である。
【図５】（ａ），（ｂ）はチラシ広告の一例を示す図である。
【図６】本実施形態のチラシ広告集配信サーバ側での概略の動作を示すフローチャート図である。
【図７】従来のチラシ広告システムの一例を示すブロック図である。
【符号の説明】
【００３２】
１０  チラシ広告集配用サーバコンピュータ（チラシ広告集配信サーバ）
１０Ａ  データ種別自動判別手段
１０ａ  広告フォーマット送信手段
１０ｂ  検索分類手段
１０ｃ  広告期間満了判定手段
１１  データベースサーバ（記憶装置）
１２  広告掲載側端末機
１２ａ  広告データ送信手段
１３  顧客側端末機
２０  送信ボタン
２１  依頼日入力領域
２２  登録番号入力領域                                                          ２３  地域コード入力領域                                                        ２４  広告条件入力領域                                                        
２５  業種入力領域
２６  修正有無入力領域
２７  添付ファイル入力領域
２８  その他備考欄入力領域
Ｅａ  送受信データ部
Ｅｂ  広告条件データ部
Ｅｃ  広告データ部
ｅ１〜ｅ１２  領域
【図１】
2005078159.tif 000003
【図２】
2005078159.tif 000004
【図３】
2005078159.tif 000005
【図４】
2005078159.tif 000006
【図５】
2005078159.tif 000007
【図６】
2005078159.tif 000008
【図７】
2005078159.tif 000009